(57)【要約】      （修正有）【課題】凸部裏面側の空間部内で被包装物の存在位置に偏りがあっても、上部包材に対するローラーの押圧力を好適に作用させ、処理済みプレススルーパックシート内に被包装物が不用意に残存するのを防止する、プレススルーパックシートの開封装置を提供する。【解決手段】プレススルーパックシート２２を上部ローラー３及び下部ローラー４間で押圧して開封する開封装置において、下部ローラーの軸中心部８ａと上部ローラー３の軸中心部７ａとを結ぶ線Ｌ1が、該下部ローラーの軸中心部を通過する垂直線Ｌ2に対し後方側に傾斜するように、或いは上部ローラーと下部ローラー間を通過する前のプレススルーパックシートの移送路１５ａに対して、該上部ローラーと下部ローラー間を通過した後のプレススルーパックシートの移送路１５ｂが、上向きに傾斜した状態となるように、上部ローラーと下部ローラーとがそれぞれ配設されていることを特徴とする。【選択図】図４
2010006382.tif 000002
【特許請求の範囲】
【請求項１】
プレススルーパックシート（２２）を上部ローラー（３）及び下部ローラー（４）間で押圧して開封するためのプレススルーパックシート開封装置において、前記下部ローラー（４）の軸中心部（８ａ）と上部ローラー（３）の軸中心部（７ａ）とを結ぶ線（Ｌ1）が、該下部ローラー（４）の軸中心部（８ａ）を通過する垂直線（Ｌ2）に対して後方側に傾斜するように、前記上部ローラー（３）と下部ローラー（４）とがそれぞれ配設されていることを特徴とするプレススルーパックシート開封装置。
【請求項２】
下部ローラー（４）の軸中心部（８ａ）を通過する垂直線（Ｌ2）に対する、該下部ローラー（４）の軸中心部（８ａ）と上部ローラー（３）の軸中心部（７ａ）とを結ぶ線（Ｌ1）の傾斜角度が、５〜３０度である請求項１記載のプレススルーパックシート開封装置。
【請求項３】
プレススルーパックシート（２２）を上部ローラー（３）及び下部ローラー（４）間で押圧して開封するためのプレススルーパックシート開封装置において、前記上部ローラー（３）と下部ローラー（４）間を通過する前のプレススルーパックシート（２２）の移送路（１５ａ）に対して、該上部ローラー（３）と下部ローラー（４）間を通過した後のプレススルーパックシート（２２）の移送路（１５ｂ）が、上向きに傾斜した状態となるように、前記上部ローラー（３）と下部ローラー（４）とがそれぞれ配設されていることを特徴とするプレススルーパックシート開封装置。
【請求項４】
上部ローラー（３）と下部ローラー（４）間を通過する前のプレススルーパックシート（２２）の移送路（１５ａ）に対する、該上部ローラー（３）と下部ローラー（４）間を通過した後のプレススルーパックシート（２２）の移送路（１５ｂ）の傾斜角度が、５〜３０度である請求項３記載のプレススルーパックシート開封装置。
【請求項５】
開封後のプレススルーパックシート（２２）に振動を付与する手段が具備されている請求項１乃至４のいずれかに記載のプレススルーパックシート開封装置。
【請求項６】
開封後のプレススルーパックシート（２２）に振動を付与する手段が、振い落としローラー（６）である請求項５記載のプレススルーパックシート開封装置。
【発明の詳細な説明】
【技術分野】
【０００１】
本発明は、プレススルーパック（ＰＴＰ）シートで包装された錠剤、カプセル等の薬剤を分離、回収すべく、そのプレススルーパックシートを開封するためのプレススルーパックシート開封装置に関する。
【背景技術】
【０００２】
プレススルーパックシートは、図１９及び図２０に示すように、略等間隔に凸部３７が成形された透明な合成樹脂製シートからなる上部包材３５と、アルミ箔等の破れ易い材質のものをシート状に形成した下部包材３６とからなり、上部包材３５と下部包材３６とを貼り合わせるとともに、該上部包材３５の前記凸部３７の裏面側の空間部３８  内に、被包装物３４を収容して包装されるものである。
【０００３】
このようなプレススルーパックシートは、被包装物３４を、上記のような上部包材３５の凸部３７裏面側の複数の空間部３８内に個別に包装することができ、コンパクトで形態にも便利であり、また開封時には、図２１に示すように、上部包材３５の凸部３７を押圧することで下部包材３６を容易に押し破ることができ、それによって、被包装物３４を簡易に取り出すことができるので、錠剤、カプセル等の薬剤の包装用として広く用いられている。
【０００４】
このようなプレススルーパックシートで包装された薬剤は、医師の処方箋等に基づいて他の薬剤と同時に服用されることが多い。その際、服用の容易化を図るため、プレススルーパックシートで包装された薬剤を、錠剤自動包装装置の錠剤供給フィーダに収容し、その錠剤供給フィーダの作動により定量払い出して別の錠剤供給フィーダから払い出される錠剤とともに、包袋によって１包毎に包装することが行われている。この場合、プレススルーパックシートを開封して包装された薬剤を取出し、これを錠剤自動包装装置の錠剤供給フィーダに収容する必要がある。
【０００５】
また、プレススルーパックシートを開封する必要性は、上記のような錠剤供給フィーダを用いた１包毎に包装の場合のみならず、不良品の処理の場合にも生じる。すなわち、プレススルーパックシートは、工程異常などの理由から包装不良となった場合はもとより、医薬品等の場合には、包装の気密性等の厳格な条件を満たす必要性から、包装装置の初期作動時に処理されたプレススルーパックシートを包装不良として良品から除外している。この初期作動時に除外されるＰＴＰは、包装速度が高速であるほど多量に生じる。
【０００６】
これら初期作動時に良品から除外されるプレススルーパックシートは、包装不良と判定されているだけで、被包装物自体は良品であることから、これらの被包装物を回収して再利用することが省資源化を図り生産効率を上げるうえで望ましい。
【０００７】
プレススルーパックシートは、上述の図２１を参照して説明したように、指先で簡単に開封できるものであるが、包装不良と判定された上記多量のプレススルーパックシートをすべて手作業で開封して被包装物を回収したのでは、作業者にとって多大の負担となる。さらに、人手での開封処理では被包装物の滅菌性を担保できないおそれがある。
【０００８】
そこで、このようなプレススルーパックシートの開封作業を行うためのプレススルーパックシートの開封装置が開発されており、このような開封装置として、たとえば図２２に示すような開封装置が従来用いられている。この種の開封装置に近似するものとして、たとえば特許文献１のような特許出願が存在する。この開封装置は、同図のように、上部ローラー３ａ及び下部ローラー４ａを備え、マガジン２ａに多数収容されたプレススルーパックシート２２を、図２３に示すように順次上部ローラー３ａと下部ローラー４ａ間に供給し、上部ローラー３ａと下部ローラー４ａ間を通過させることによって、該上部ローラー３ａ及び下部ローラー４ａの押圧力によってプレススルーパックシートを開封するものである。
【０００９】
より詳細に説明すると、上記下部ローラー４ａには溝１８ａが形成されており、上記のようにプレススルーパックシート２２が上部ローラー３ａと下部ローラー４ａ間を通過すると、プレススルーパックシート２２の上部包材３５が上部ローラー３ａに押圧されて変形し、その押圧力が被包装物３４である薬剤等に伝達され、下部包材３５が破かれて被包装物３４が下部ローラー４ａの溝１８ａ内に排出される。溝１８ａに排出された被包装物３４は、下部ローラー４ａの回転に伴って図２３のように下部に落下され、また被包装物の排出済みのプレススルーパックシート２２は、同図のように進行方向の下部に排出されることとなる。
【００１０】
ところで、プレススルーパックシートにおいては、上記のように上部包材３ａの凸部３７裏面側の空間部３８内に被包装物が収納されているが、その空間部３８は、被包装物３４に対して多少の空間的余裕を持つようなスペースに形成されている。従って、被包装物３４は空間部３８内の定まった位置に存在しているわけではなく、複数の空間部３８において被包装物３４の収納位置は一定ではない。また、上部包材３５の凸部３７等の成形状態も必ずしも一様ではい。このため、上部ローラー３ａで押圧された上部包材３５の凸部３７の変形状態も一定ではない。
【００１１】
この場合の作用を考察すると、図２５の矢印方向に上部ローラー３ａの圧力がかかった場合、凸部３７の中央部ロ、ハは図２６に示すように変形し易いが、両端部イ、イは、凸部３７の壁面を構成しているので、変形しにくい。このため、被包装物が凸部３７の略中央に位置している場合には上部ローラー３ａの圧力が被包装物に伝達され易く、下部包材３６が破れて被包装物が排出され易いが、被包装物の収納位置が凸部３７の左右どちらかに偏っている場合、被包装物に上部ローラー３ａの圧力が十分伝達されず、被包装物が排出されないことがある。このため、処理済みのプレススルーパックシートの凸部３７裏面側の空間部３８内に、被包装物が不用意に残存するおそれがあるという問題が生じていた。
【００１２】
また、別の構成からなる開封装置として、たとえば図２７に示すような構成のものがある。すなわち、この図２７に示す開封装置は、同図のように、上型５５及び下型５６の間にプレススルーパックシートが供給され、上型５５又は下型５６を往復動させることによってプレススルーパックシートを開封させるものである。
【００１３】
しかしながら、このような構造の開封装置によっても、被包装物の空間部３８内における存在位置が一定でなく、上部包材３５の凸部３７の変形状態が一定でないことに基づく上記のような問題、すなわち被包装物が凸部の略中央に位置している場合には被包装物が排出され易いが、被包装物の収納位置が左右いずれかに偏っている場合、被包装物が排出されないことがあり、処理済みプレススルーパックシートに被包装物が残存するおそれがあるという問題を解消しうるには至らなかったのである。
【００１４】
【特許文献１】特開平１１−２９２０４１号公報
【発明の開示】
【発明が解決しようとする課題】
【００１５】
本発明は、このような問題点を解決するためになされたもので、凸部裏面側の空間部内における被包装物の存在位置が一定でなく、空間部内での被包装物の存在位置に偏りがあっても、上部包材に対するローラーの押圧力を好適に作用させることができ、それによって、被包装物が排出されないことにより、処理済みプレススルーパックシート内に被包装物が不用意に残存するのを防止することができるプレススルーパックシートの開封装置を提供することを課題とする。
【課題を解決するための手段】
【００１６】
本発明は、上記のような課題を解決するためになされたもので、プレススルーパックシート２２を上部ローラー３及び下部ローラー４間で押圧して開封するためのプレススルーパックシート開封装置において、前記下部ローラー４の軸中心部８ａと上部ローラー３の軸中心部７ａとを結ぶ線Ｌ1が、該下部ローラー４の軸中心部８ａを通過する垂直線Ｌ2に対して後方側に傾斜するように、前記上部ローラー３と下部ローラー４とがそれぞれ配設されていることを特徴とするプレススルーパックシート開封装置を提供するものである。
【００１７】
この場合、下部ローラー４の軸中心部８ａを通過する垂直線Ｌ2に対する、該下部ローラー４の軸中心部８ａと上部ローラー３の軸中心部７ａとを結ぶ線Ｌ1の傾斜角度は、５〜３０度であることが望ましい。
【００１８】
また、本発明は、プレススルーパックシート２２を上部ローラー３及び下部ローラー４間で押圧して開封するためのプレススルーパックシート開封装置において、前記上部ローラー３と下部ローラー４間を通過する前のプレススルーパックシート２２の移送路１５ａに対して、該上部ローラー３と下部ローラー４間を通過した後のプレススルーパックシート２２の移送路１５ｂが、上向きに傾斜した状態となるように、前記上部ローラー３と下部ローラー４とがそれぞれ配設されていることを特徴とするプレススルーパックシート開封装置を提供するものである。
【００１９】
この場合、上部ローラー３と下部ローラー４間を通過する前のプレススルーパックシート２２の移送路１５ａに対する、該上部ローラー３と下部ローラー４間を通過した後のプレススルーパックシート２２の移送路１５ｂの傾斜角度が、５〜３０度であることが望ましい。
【００２０】
さらに、開封後のプレススルーパックシート２２に振動を付与する手段を具備させることも可能である。この振動を付与する手段としては、たとえば振い落としローラー６のようなものが採用される。
【発明の効果】
【００２１】
本発明は、上述のように、下部ローラーの軸中心部と上部ローラーの軸中心部とを結ぶ線が、該下部ローラーの軸中心部を通過する垂直線に対して後方側に傾斜するように、或いは上部ローラーと下部ローラー間を通過する前のプレススルーパックシートの移送路に対して、該上部ローラーと下部ローラー間を通過した後のプレススルーパックシートの移送路が、上向きに傾斜した状態となるように、上部ローラーと下部ローラーとをそれぞれ配設したものであるため、プレススルーパックシートを水平の状態に維持したまま開封するのではなく、一般に手作業によってプレススルーパックシートを開封する場合のように、少し折り曲げるような状態で傾けつつ開封作業が行われることとなり、その結果、被包装物がプレススルーパックシートの空間部内の偏芯した位置に存在しても、その被包装物に対して上部ローラーの押圧力を好適に作用させることができ、従来に比べてプレススルーパックシートの開封及び被包装物の排出を好適に行いことができるという効果がある。
【００２２】
この結果、プレススルーパックシートの開封によって排出した被包装物の回収率を、従来に比べて著しく向上させることができるという効果がある。
【００２３】
さらに、たとえば振い落としローラーのように開封後のプレススルーパックシートに振動を付与する手段を具備させた場合には、仮に上部ローラー及び下部ローラー間の押圧力のみでプレススルーパックシートの開封及び被包装物の排出が不十分であり、プレススルーパックシートの空間部内に被包装物が不用意に残存したとしても、その不用意に残存した被包装物を、プレススルーパックシートに振動を付与することで、確実にプレススルーパックシートから排出することができ、その結果、被包装物の排出による回収率を一層向上させることができるという効果がある。
【発明を実施するための最良の形態】
【００２４】
以下、本発明の実施形態について、図面に従って説明する。図１は一実施形態としてのプレススルーパックシート開封装置の概略正面図、図２は同プレススルーパックシート開封装置の概略側面図、図３はプレススルーパックシート開封装置の概略平面図、図４は上部ローラー及び下部ローラーの偏心配置状態の概略拡大側面図である。
【００２５】
本実施形態のプレススルーパックシートの開封装置は、図１乃至図３に示すように、装置本体１と、多数のプレススルーパックシートを積み重ねて収容すべく、前記装置本体１の上部に設けられたマガジン２と、該マガジン２から１枚ずつ供給されるプレススルーパックシートを開封して被包装物を排出するための上部ローラー３及び下部ローラー４と、前記マガジン２から順次落下するプレススルーパックシートを、１枚ずつ押し出して前記上部ローラー３及び下部ローラー４間に供給するプッシャー５と、該上部ローラー３及び下部ローラー４で排出されなかった被包装物をプレススルーパックシートから振い落としローラー６とを具備して構成されている。
【００２６】
上部ローラー３及び下部ローラー４には、それぞれ軸７、８が軸着され、該軸７、８は上部ローラー３及び下部ローラー４の外側に延出され、その延出された端部にギア９、１０が設けられ、該上部ローラー３及び下部ローラー４の外側にそれぞれ設けられたギア９、１０は相互に噛合している。
【００２７】
下部ローラー４の外側に設けられたギア９のさらに外側には、プーリ１１が同軸的に設けられ、該プーリ１１と、駆動源としてのモータ１２によって回転可能なプーリ１３とに、伝動ベルト１４が掛け回されている。これによって、モータ１２を駆動させるとプーリ１３が回転し、そのプーリ１３の回転が伝動ベルト１４を介してプーリ１１に伝達され、該プーリ１１に同軸的に設けられたギア１０が回転し、さらに該プーリ１１及びギア１０に同軸的に設けられた下部ローラー４が回転することとなる。
【００２８】
さらに、ギア１０が回転することにより、そのギア１０と噛合するギア９が回転し、その回転が軸７を介して上部ローラー３にも伝達されることとなる。このように、モータ１２の駆動により下部ローラー４が回転し、その回転が上部ローラー３にも伝達され
ることとなる。この場合、相互に噛合しているギア９、１０を介して回転が伝達されるので、上部ローラー３及び下部ローラー４はそれぞれ逆方向に回転することとなる。
【００２９】
これら上部ローラー３及び下部ローラー４は、図１及び図４に示すように、該ローラー３、４の側面視の状態において、それぞれのローラー３、４の軸部７、８の中心部が偏芯した位置となるように設けられている。
【００３０】
より詳しくは、図４に示すように、下部ローラー４の軸中心部８ａを通過する垂直線Ｌ2に対し、下部ローラー４の軸中心部８ａと上部ローラー３の軸中心部７ａとを結ぶ線
Ｌ1は、角度αの分だけわずかに傾斜している。この角度は、特に限定されないが、１０〜３０度程度であることが望ましい。
【００３１】
そして、このように下部ローラー４の軸中心部８ａと上部ローラー３の軸中心部７ａとを結ぶ線Ｌ1が、下部ローラー４の軸中心部８ａを通過する垂直線Ｌ2に対して角度αの分だけ傾斜し、上部ローラー３の軸中心部７ａが下部ローラー４の軸中心部８ａから偏芯してわずかに後退した位置となるように下部ローラー４と上部ローラー３とが配置されていることによって、図４に示すように、上部ローラー３と下部ローラー４間を通過する前のプレススルーパックシートの移送路１５ａに対して、上部ローラー３と下部ローラー４間を通過した後のプレススルーパックシートの移送路１５ｂは、わずかに上向きに傾斜した状態となっている。
【００３２】
このように、わずかに上向きに傾斜した状態となるような移送路１５ｂは、前記上部ローラー３と下部ローラー４間を通過した後のプレススルーパックシートを案内するためのガイド１６によって形成されることとなる。そして、前記振い落としローラー６は、前記ガイド１６によってわずかに上向きに傾斜するように案内されながら移送されるプレススルーパックにシート接触しうるような位置に設けられている。この振い落としローラー６は、図１及び図４に示すように、６箇所の頂点を持つ略星形状に形成されている。
【００３３】
この振い落としローラー６は、図示しないが、前記下部ローラー４の回転を駆動するモーター１２とは別の駆動源、たとえばモーター等の駆動源によって駆動させる。さらに、前記プッシャー５を往復動させる駆動源も、図示しないが、前記下部ローラー４の駆動源や振い落としローラー６とは別に設けられる。ただし、これら下部ローラー４、振い落としローラー６、プッシャー５を駆動させるために同じ駆動源を用い、それぞれ回転や往復動がリンクするようなリンク機構を設けることも可能である。
【００３４】
プレススルーパックシートを開封するための上部ローラー３及び下部ローラー４の構造については、図５乃至図７により詳細に図示している。図５はプレススルーパックシート開封のための上部ローラー及び下部ローラーの構造を示す概略拡大正面図、図６は図５のＡ方向から見た状態の側面図、図７は上部ローラー及び下部ローラーの取付構造の一部断面概略拡大側面図である。この図５乃至図７においては、上記図１及び図４のように上部ローラーを下部ローラーに対して偏芯した状態に図示しておらず、便宜上、両ローラーの軸中心部が垂直線上に位置するように配置して図示している。
【００３５】
上部ローラー３には、図５乃至図７に示すように、３条の凸状リング１７が外嵌着されている。また下部ローラー４の、前記上部ローラー３に外嵌着された凸状リング１７の位置と対向する位置には、それぞれ凹溝１８が形成されている。
【００３６】
この凸状リング１７はプレススルーパックシートの凸部の押圧部分となるもので、この凸状リング１７のような凸状部を設けた場合には、被包装物に対する上部ローラーの押圧力をより好適に作用させることができ、プレススルーパックシートの開封及び被包装物の排出をより確実に行うことができる。また、凹溝１８はその押圧によってプレススルーパックから排出された被包装物の排出部分となる。
【００３７】
さらに、図７には詳細に図示しないが、上部ローラー３及び下部ローラー４は、一端部３ａ、４ａ側のみに軸受が設けられ、他端部側には軸受が設けられていない。このような構造とすることによって、上部ローラー３及び下部ローラー４の取り替えは、上記一端部３ａ、４ａ側に装着された止具１９、２０を取り外すことによって行うことができる。
【００３８】
このように、上部ローラー及び下部ローラーの軸受部を、該上部ローラー及び下部ローラーの一端部側にのみ設け、上部ローラー３及び下部ローラー４の取り替えを、上記一端部３ａ、４ａ側に装着された止具１９、２０を取り外すことによって行うことができるので、これら上部ローラー及び下部ローラーの取り替えを従来の開封装置に比べて容易且つ短時間に行うことができることとなる。
【００３９】
さらに、上部ローラー３及び下部ローラー４間のローラー圧は、調節ネジ２１によって調節される。具体的には、調節ネジ２１の調節によって上部ローラー３の上下方向の位置が微調節され、それによって上部ローラー３、下部ローラー４間のローラー圧が調節されることとなるのである。
【００４０】
マガジン２の構造は、図８乃至図１０に詳細に図示されている。マガジン２は、プレススルーパックシート２２の４角コーナー部２２ａ、２２ｂ、２２ｃ、２２ｄをガイドするための平面略Ｌ字状のガイド体２３を４箇所に具備して構成されている。このガイド体２３は、図８及び図９に示すように、縦方向に配置されている。
【００４１】
装置本体１の上部にはマガジン２の後部壁２４が立設され、該後部壁２４の前面側の上下２箇所の横方向に、長尺状の係入凹状体２５、２５が取り付けられている。また前記４箇所のガイド体２３のうち、プレススルーパックシート２２のコーナー部２２ａ、２２ｂ側に配置されるガイド体２３の後面側には、前記係入凹状体２５に係入可能な係入凸状体２６が取り付けられている。このような係入凹状体２５に係入凸状体２６を係入することで、該係入凸状体２６を係入凹状体２５内でスライドさせることができる。
【００４２】
このような係入凸状体２６のスライドによって、コーナー部２２ｂ、２２ｄ側のガイド体２３を、コーナー部２２ａ、２２ｃ側のガイド体２３に対して移動させることができる。すなわち、長尺状の係入凹状体２５は係入凸状体２６のガイドレールとして機能することとなる。
【００４３】
また、４箇所のガイド体２３の後面側には、係入凹状体２７がそれぞれ取り付けられ、該係入凹状体２７に係入可能な長尺状の係入凸状体２８が、横方向に配設されている。
このような係入凹状体２７に係入凸状体２８を係入することで、該係入凹状体２７を係入凸状体２８に対してスライドさせることができる。このような係入凹状体２７のスライドによって、コーナー部２２ｃ、２２ｄ側のガイド体２３を、コーナー部２２ａ、２２ｂ側のガイド体２３に対して移動させることができる。すなわち、長尺状の係入凸状体２８は係入凹状体２７のガイドレールとして機能することとなる。
【００４４】
このような構造であるために、プレススルーパックを多数枚積載して収納するマガジンの縦横の寸法を調節可能に構成した場合には、従来のように機種ごとにマガジンを取り替える必要がなく、１台の開封装置で種々の大きさのプレススルーパックシートの開封作業を行うことができる。
【００４５】
プレススルーパックシート２２は、上述のような４箇所のガイド体２３にガイドされつつ該ガイド体２３で包囲される空間部内に収納されるが、下方にスムーズにガイドさせるために、図８及び図９に示すような押え具２９が用いられる。
【００４６】
さらに、上記プレススルーパックシート開封後に排出される被包装物を回収するための回収容器３０が装置本体１の下部の載置台３２上に載置されている。さらに、開封後に被包装物を排出した後にプレススルーパックシートを廃棄するシューター３１が前記ガイド１６の下部に設けられている。さらに、装置本体１の上部には、操作盤３３が設けられている。
【００４７】
次の上記のような構成からなるプレススルーパックシートの開封装置を用いて多数のプレススルーパックシートを自動的に開封する操作について説明する。
【００４８】
先ず、マガジン２内に予め準備した多数枚のプレススルーパックシートを収納する。この場合、プレススルーパックシートの大きさに応じて、４箇所のガイド体２３の位置調整を行う。この場合の位置調整は、上述のようなガイドレールとしての長尺状の係入凹状体２５に対して係入凸状体２６を移動させるとともに、ガイドレールとしての長尺状の係入凸状体２８に対して係入凹状体２７を移動させることによって、容易に行うことができる。
【００４９】
この場合、４箇所のガイド体２３は、多数枚のプレススルーパックシート２２が直ちに落下することがないように、プレススルーパックシート２２の４角コーナー部２２ａ、２２ｂ、２２ｃ、２２ｄの位置に略合致するように位置調整されるので、自重で落下させるのが必ずしも容易でない。そこで、上記のような押え具２９で最上部のプレススルーパックシート２２を押えながら所定量ずつのプレススルーパックシート２２を下方へ移動させることで、多数枚のプレススルーパックシート２２をマガジン２内に容易に収納することができる。
【００５０】
このようにして多数枚のプレススルーパックシート２２をマガジン２内に収納した状態で、主駆動源のモータ１２、並びに振い落としローラー６の駆動源及びプッシャー５の駆動源をそれぞれ駆動させる。モータ１２の駆動により、上述のようにプーリ１３が回転し、その回転が伝動ベルト１４を介してプーリ１１に伝達され、該プーリ１１に同軸的に設けられたギア１０が回転し、さらに該プーリ１１及びギア１０に同軸的に設けられた下部ローラー４が回転することとなる。そして、下部ローラー４の回転は、相互に噛合しているギア９、１０を介して上部ローラー３に伝達され、上述のように上部ローラー３及び下部ローラー４はそれぞれ逆方向に回転することとなる。
【００５１】
そして、マガジン２内に収納された多数枚のプレススルーパックシート２２のうち、最下段のプレススルーパックシート２２は、往復動するプッシャー５によって前方へ押し出され、前記上部ローラー３及び下部ローラー４間へ移送される。そして、上部ローラー３及び下部ローラー４間で押圧され、プレススルーパック２２の凸部３７が押しつぶされて、該プレススルーパックシート２２の下部包材３６が破かれ、被包装物３４がプレススルーパックシート２２から排出されることとなる。
【００５２】
この場合において、上部ローラー３の軸中心部７ａは下部ローラー４の軸中心部８ａに対して偏芯した状態、すなわち上部ローラー３の軸中心部７ａが下部ローラー４の軸中心部８ａよりもわずかに後方且つわずかに上側に位置し、上述のように下部ローラー４の軸中心部８ａを通過する垂直線Ｌ2に対し、下部ローラー４の軸中心部８ａと上部ローラー３の軸中心部７ａとを結ぶ線Ｌ1が角度α分だけ傾斜しており、上部ローラー３と下部ローラー４間を通過する前のプレススルーパックシートの移送路１５ａに対して、上部ローラー３と下部ローラー４間を通過した後のプレススルーパックシートの移送路１５ｂが、わずかに上向きに傾斜した状態となっているため、上部ローラー３の押圧力が、プレススルーパックシート２２の凸部３７の全体に好適に作用することとなる。
【００５３】
すなわち、一般に手作業によってプレススルーパックシートを開封する場合、上記図２１に示すように、プレススルーパックシートを水平の状態に維持したまま開封されるとは限らず、被包装物３４が凸部３７の裏面側の空間部３８内の偏芯した位置に存在するような場合、使用者は、無意識のうちに手作業でプレススルーパックシート２２を少し折り曲げるような状態で傾けつつ開封作業を行っている。これによって、被包装物３４が空間部３８内の偏芯した位置に存在しても、指５５による押圧力を被包装物３４に、好適に作用させることができ、下部包材３６も確実に破ることができる。
【００５４】
このような手作業による開封時の作用と同様の作用が、上記のような偏芯状態で配置された上部ローラー３と下部ローラー４間を通過するプレススルーパックシートに対しても同様に生じることとなる。すなわち、図１２に示すように、上部ローラー３と下部ローラー４間を通過した後のプレススルーパックシートの移送路１５ｂがわずかに上向きに傾斜した状態となっていることで、プレススルーパックシート２２の上部包材３５の凸部３７を好適に変形させることができ、それによって上部ローラー３の押圧力を被包装物３４に対して好適に作用させることができる。
【００５５】
このため、下部包材３６も図１２に示すように確実に破られることとなり、空間部３８内の被包装物３４が確実に排出されることとなる。
【００５６】
さらに本実施形態においては、上部ローラー３に３条の凸状リング１７が外嵌着されているため、被包装物３４に対する押圧力をより好適に作用させることができる。すなわち、上記凸状リング１７によって、上部包材３５の凸部３７が確実に変形されることとなり、凸状リング１７による押圧力が被包装物３４に確実に作用するので、被包装物３４は、下部ローラー４の凹溝１８に確実に排出されることとなる。
【００５７】
このように、上記のような偏芯状態で配置された上部ローラー３及び下部ローラー４、並びに上部ローラーの凸状リング１７によって、プレススルーパックシート２２は従来の開封装置に比べて確実に開封され、被包装物３４が確実に排出されるのであるが、上部ローラー３及び下部ローラー４はある程度の速度で回転しているので、プレススルーパックシート２２の空間部３８内に被包装物３４が不用意に残存することもある。
【００５８】
しかしながら、本実施形態では、上記のような振い落としローラー６が、ガイド１６によってわずかに上向きに傾斜するように案内されながら移送されるプレススルーパックシートに接触しうるような位置に設けられているため、上部ローラー３及び下部ローラー４間を通過したプレススルーパックシート２２には、回転している振い落としローラー６が接触し、それによってプレススルーパックシート２２に振動が付与され、その結果、プレススルーパックシート２２の空間部３８内に不用意に残存していた被包装物３４は、振い落としローラー６に振い落とされて、プレススルーパックシート２２から確実に排出されることとなる。
【００５９】
また、この振い落としローラー６は、６箇所の頂点を持つ略星形状に形成されているので、振い落としローラー６が回転すると、該振い落としローラー６の６箇所の頂点が連続的にプレススルーパックシート２２に接触し、残存する被包装物に対する振い落とし作用が好適に生じることとなる。
【００６０】
このように、本実施形態においては、上記のような偏芯状態で配置された上部ローラー３及び下部ローラー４によって、あたかも手作業によってプレススルーパックシートを変形させながら開封するごとき好適な押圧力がプレススルーパックシートに作用し、また、上部ローラーの凸状リング１７によって、その押圧力が被包装物３４により好適に作用し、さらに、プレススルーパックシート２２の空間部３８内に不用意に残存した被包装物３４は振い落としローラー６に振い落とされて、プレススルーパックシート２２から確実に排出されるので、プレススルーパックシート２２を開封することによって被包装物３４を排出させる効果が、従来に比べて著しく向上することとなった。
【００６１】
尚、上記実施形態では、凸状リング１７を上部ローラー３に外嵌着させ、下部ローラー４に凹溝１８を形成することによって、凸状リング１７の押圧力を被包装物３４に好適に作用させて凹溝１８に被包装物３４を排出させることとしたが、これに限らず、図１４のように上部ローラー３及び下部ローラー４を構成することで、同様の作用を生じさせることも可能である。
【００６２】
すなわち、図１４の実施形態では、上部ローラー３の軸７及び下部ローラー４の軸８の外側にスリーブ３９、４０がそれぞれ外嵌着され、さらにそのスリーブ３９、４０の外側に、スペーサー４１、４２、及び作用車４３、４４がそれぞれ外嵌着されている。
【００６３】
この図１４の実施形態では、上部ローラー３の作用車４３が、上記実施形態の凸状リング１７と同様の作用を生じさせ、下部ローラー４の作用車４４間の凹状部分が、上記実施形態の凹溝１８と同様に作用することとなる。
【００６４】
上記実施形態では、凸状リング１７の位置や凹溝１８の位置が固定されていたのに対し、この図１４の実施形態においては、スペーサー４１、４２の幅を種々選択することで、作用車４３、４３の間隔、或いは作用車４４、４４の間隔を種々調節することができ、プレススルーパックシートの大きさなどに応じて、その間隔を任意に変更することができるという利点がある。
【００６５】
また、固定ナット４５、４６でそれぞれ上部ローラー３及び下部ローラー４の外側を固定することができるので、スペーサー４１、４２や作用車４３、４４の着脱による取り替えも容易に行うことができる。
【００６６】
さらに、図１５及び図１６のような構造とすることも可能である。この図１５の実施形態においては、前記図１４の実施形態と同様に作用車が設けられているが、スペーサーは設けられておらず、該作用車の内面側とスリーブの外面側とにそれぞれネジが形成され、該作用車がスリーブに螺合されて作用車の位置調整が可能となるように構成されている。図１５及び図１６においては、便宜上下部ローラー４のみが図示されている、作用車４４には、図１６に示すように可動片４７及びセットボルト４８が設けられており、調節時はセットボルト４８を緩めておき、固定時にセットボルト４８を締め付けて可動片４７を固定する。
【００６７】
この図１５及び図１６の実施形態においては、上記図１４の実施形態のようにスペーサーを用いる必要がないので作用車間の間隔を調節するためにスペーサーを選択する必要がなく、プレススルーパックシートの凸部の大きさの相違に応じて、下部ローラーの対の間隔を調整することが可能となる。
【００６８】
さらに上記実施形態では、マガジン２の大きさを調節する手段として、上記図８乃至図１０のような構成を採用したが、これに限らず、たとえば図１７及び図１８に示すような構成を採用することも可能である。
【００６９】
この図１７及び図１８の実施形態においても、上記図８乃至図１０の実施形態と同様に、プレススルーパックシート２２の４角コーナー部２２ａ、２２ｂ、２２ｃ、２２ｄをガイドするガイド体２３が設けられているが、そのガイド体２３間の寸法の調節手段が上記図８乃至図１０の実施形態と相違している。
【００７０】
すなわち、この図１７及び図１８の実施形態においては、２個の寸法調節体５１内に寸法調節ネジ５０が螺合状態で挿入され、ハンドル４９の回転によって寸法調節ネジ５０に螺合状態で挿入された寸法調節体５１が移動しうるように構成されている。この図１７及び図１８の実施形態では、このようなハンドル４９、寸法調節ネジ５０、及び寸法調節体５１が２組準備され、それぞれがプレススルーパックシート２２の短手方向及び長手方向の寸法の調節に用いられる。
【００７１】
短手方向の寸法を調節する寸法調節体５１は、プレススルーパックシート２２の２箇所のコーナー部２２ｂ、２２ｄをガイドするガイド体２３の裏面側に取り付けられ、ハンドル４９の回転によって寸法調節ネジ５０に対して寸法調節体５１を移動させることで、ガイド体２３が移動するように構成され、それによってガイド体２３、２３間の寸法調節がなされる。
【００７２】
上記コーナー部２２ｂ、２２ｄと対面する側のコーナー部２２ａ、２２ｃをガイドするガイド体２３の裏面側にも寸法調節体５１がそれぞれ取り付けられており、この寸法調節体５１、５１にも寸法調節ネジ５０が螺合状態で挿入されて、寸法調節体５１が移動しうるように構成されている。ただし、コーナー部２２ａ、２２ｃをガイドするガイド体２３側の寸法調節ネジ５０には、上記コーナー部２２ｂ、２２ｄ側のようなハンドル４９が設けられていない。すなわち、コーナー部２２ｂ、２２ｄ側のガイド体２３、２３間の寸法調節に対応させて、寸法調節ネジ５０のみで調節がなされる。
【００７３】
一方、プレススルーパックシート２２の長手方向の寸法調節は、別の１組のハンドル４９、寸法調節ネジ５０、及び寸法調節体５１によってなされる。このうちの２個の寸法調節体５１、５１が、図１７に示すような平面略Ｌ字状の保持体５２の一方の壁面５２ａの裏面側に取り付けられている。この保持体５２は、前記コーナー部２２ｂ、２２ｄ側のガイド体２３の寸法調節を行う寸法調節ネジ５０を保持するもので、その保持体５２の一方の壁面５２ａに寸法調節ネジ５０の一端部が当接し、該寸法調節ネジ５０の中央部及び他端部は、他方の壁面５２ｂの中央部５２ｃ及び他端部５２ｄに穿設されたネジ孔（図示せず）に螺挿入されている。尚、寸法調節ネジ５０は、中央部を境界部分として右ネジ及び左ネジに分けて形成されている。
【００７４】
上記のように、プレススルーパックシート２２の長手方向の寸法調節を行うハンドル４９を回転すると、２個の寸法調節体５１、５１が寸法調節ネジ５０に対して移動し、それによって保持体５２が同方向に移動することとなる。このように保持体５２が移動すると、該保持体５２に保持されている短手方向の寸法調節用の寸法調節ネジ５０が、同方向に移動し、それによって該寸法調節ネジ５０と螺合している短手方向の寸法調節用の寸法調節体５１、５１が同方向に移動し、結果として、コーナー部２２ｂ、２２ｄ側のガイド体２３がコーナー部２２ａ、２２ｃ側のガイド体２３に対して移動することとなる。
【００７５】
このようにして、長手方向の寸法調節がなされることとなる。尚、長手方向の寸法調節を行う寸法調節ネジ５０は、前記短手方向の寸法調節を行う寸法調節ネジ５０を保持する保持体５２と同形状（平面略Ｌ字状）で該保持体５２よりも大きい別の保持体５３に保持されている。
【００７６】
この図１７及び図１８の実施形態においては、ハンドル４９、寸法調節ネジ５０、寸法調節体５１を用いるので、上記図８乃至図１０の実施形態に比べて若干構造は複雑となるが、その反面、図８乃至図１０の実施形態のようにガイドレールとして機能する前記係入凹状体や係入凸状体のようなものを必要とせず、大きなスペースを必要としないという利点がある。
【００７７】
尚、上記実施形態では、振い落としローラー６を６箇所に頂点を有する略星形に形成したが、振い落としローラー６の形状は該実施形態に限定されるものではなく、他の形状のものであってもよい。また、該実施形態では、上部ローラー３及び下部ローラー４を通過した後のプレススルーパックシート２２に振動を付与する手段として、上記のような振い落としローラー６を用いたが、プレススルーパックシート２２に振動を付与する手段も、かかる振い落としローラー６に限定されるものではなく、他の手段を採用することも可能である。尚、このような振動付与手段を採用することで、上記のような好ましい効果が得られたが、かかる振動付与手段を採用することは本発明に必須の条件ではない。
【００７８】
また、上記実施形態では、上部ローラー３に凸状リング１７や作用車４３のような凸状部分を設けたため、上記のような好ましい効果が得られたが、このような凸状部分を設けることは本発明に必須の条件ではない。
【００７９】
さらに、上記実施形態では、上部ローラー３及び下部ローラー４の一端部側にのみ軸受を設けたため、上記のような好ましい効果が得られたが、このようなローラーの一端部側にのみ軸受を設ける構造とすることも、本発明に必須の条件ではない。
【００８０】
さらに、上記実施形態では、マガジン２のガイド体２３間の寸法を調節可能とする手段を採用したため、上記のような好ましい効果が得られたが、このようなマガジン２の寸法調節手段を採用することも、本発明に必須の条件ではない。
【００８１】
尚、本発明のプレススルーパックシート開封装置が適用されるプレススルーパックシートの被包装物としては、錠剤やカプセル剤等の薬剤を主眼とするが、薬剤以外の被包装物を包装するプレススルーパックシートに本発明を適用することも可能である。
【図面の簡単な説明】
【００８２】
【図１】一実施形態としてのプレススルーパックシート開封装置の概略正面図。
【図２】同プレススルーパックシート開封装置の概略側面図。
【図３】同プレススルーパックシート開封装置の概略平面図。
【図４】上部ローラー及び下部ローラーの偏心配置状態を示す概略拡大側面図。
【図５】プレススルーパックシート開封のための上部ローラー及び下部ローラーの構造を示す概略拡大正面図。
【図６】図５のＡ方向から見た状態の側面図。
【図７】上部ローラー及び下部ローラーの取付構造を示す一部断面概略拡大側面図。
【図８】マガジンの近傍を示す概略拡大正面図。
【図９】マガジンの近傍を示す概略拡大側面図。
【図１０】マガジンの近傍を示す概略拡大平面図。
【図１１】上部ローラー及び下部ローラーの作用を示す概略拡大側面図。
【図１２】プレススルーパックシートの開封時の作用を示す拡大説明図。
【図１３】開封時におけるプレススルーパックシートとローラーとの関係を示す要部拡大断面図。
【図１４】上部ローラー及び下部ローラーの取付構造を示す一部断面側面図。
【図１５】他実施形態のローラーを示す一部断面側面図。
【図１６】図１５のＢ−Ｂ線断面図。
【図１７】他実施形態のマガジンの概略拡大平面図。
【図１８】同概略拡大側面図。
【図１９】プレススルーパックシートの平面図。
【図２０】図１９のＣ−Ｃ線断面図。
【図２１】プレススルーパックシートの開封時の作用を示す拡大断面図。
【図２２】従来の開封装置の一部断面側面図。
【図２３】従来の開封装置の上部ローラー及び下部ローラーの作用を示す概略拡大側面図。
【図２４】従来の開封装置の開封時におけるプレススルーパックシートとローラーとの関係を示す要部拡大断面図。
【図２５】ローラーの押圧方向とプレススルーパックシートの凸部との関係を説明するための概略斜視図。
【図２６】同押圧時の凸部の状態を示す概略斜視図。
【図２７】従来の他の開封装置の一部断面側面図。
【符号の説明】
【００８３】
２  マガジン
３  上部ローラー
４  下部ローラー
５  プッシャー
６  振い落としローラー
７  軸
８  軸
７ａ  軸中心部
８ａ  軸中心部
１５ａ  移送路
１５ｂ  移送路
１７  凸状リング
２２  プレススルーパックシート
【図１】
2010006382.tif 000003
【図２】
2010006382.tif 000004
【図３】
2010006382.tif 000005
【図４】
2010006382.tif 000006
【図５】
2010006382.tif 000007
【図６】
2010006382.tif 000008
【図７】
2010006382.tif 000009
【図８】
2010006382.tif 000010
【図９】
2010006382.tif 000011
【図１０】
2010006382.tif 000012
【図１１】
2010006382.tif 000013
【図１２】
2010006382.tif 000014
【図１３】
2010006382.tif 000015
【図１４】
2010006382.tif 000016
【図１５】
2010006382.tif 000017
【図１６】
2010006382.tif 000018
【図１７】
2010006382.tif 000019
【図１８】
2010006382.tif 000020
【図１９】
2010006382.tif 000021
【図２０】
2010006382.tif 000022
【図２１】
2010006382.tif 000023
【図２２】
2010006382.tif 000024
【図２３】
2010006382.tif 000025
【図２４】
2010006382.tif 000026
【図２５】
2010006382.tif 000027
【図２６】
2010006382.tif 000028
【図２７】
2010006382.tif 000029